(57)【要約】【目的】  初期筆記でインキがとぎれやすいインキを使用したボールペンや攪拌する必要が無く、容器の側面を押圧する煩わしさの無い誤記等修正用のボールペンを提供可能とする。【構成】　軸筒先端にボールペンのチップと軸筒後方のインキ収容部にインキとフォロアが充填されて、先端ボールがチップ先端のボール抱持部の内縁に密接するように先端ボールの背面にバネ圧が付与されてなるボールペンに於いて、ポンピング式の加圧機構部は、軸筒の後端部側面に設けられたスリット部に突部が係止されてなるノック棒がリターンスプリングによって常時軸筒後方に附勢されると共に、ノック棒の軸部外周に設けられたシールリング部が軸筒後端孔の内周部に密接されてなり、その更に加圧機構部の前方で前記フォロアの後端に位置して弁機構が配設され、ノック棒の前進作動によって空間部が縮小されて、所定圧で弁が開いてフォロアの後端が加圧される。【選択図】        図１
2004009742.tif 000002
【特許請求の範囲】
【請求項１】
　軸筒先端にボールペンのチップと軸筒後方にインキ収容部を備え、インキ収容部にインキとインキの後端に接触してインキの消耗と共に追随するよう配設されたフォロアが充填されて、先端ボールがチップ先端のボール抱持部の内縁に密接するように先端ボールの背面にバネ圧が付与されてなるボールペンに於いて、
　ポンピング式の加圧機構部は、軸筒後端孔に嵌入されて軸筒の後端部側面に軸方向前方所定長さで設けられたスリット部に突部が係止されてなるノック棒がリターンスプリングによって常時軸筒後方に附勢されると共に、ノック棒の軸部外周に設けられたシールリング部が軸筒後端孔の内周部に密接されてなり、その更に加圧機構部の前方で前記フォロアの後端に位置して弁機構が配設され、ノック棒の前進作動によって軸筒の後端孔に空気が押し込まれ、加圧機構部と弁機構の間に形成される空間部が縮小されて、所定圧で弁が開いてフォロアの後端が加圧されることによってインキのチップ側への流動性が支援されるように構成されたことを特徴とするボールペン。
【発明の詳細な説明】
【技術分野】
【０００１】
本発明は、初期筆記でインキ切れしやすいインキを使用したボールペン、主として誤記等を白色のインキで隠蔽することで修正可能とするボールペン等の改良に関する。
【背景技術】
【０００２】
従来、誤記等を修正するために白色顔料を用いた液体塗布具が知られている。又、白色顔料と溶剤が分離しやすい為にこの種の液体塗布具は可撓性のある容器にインキとボール等が封入されており、使用に際して振って攪拌する必要がある。又、インキを吐出する為に容器の側面を押圧して行うが、インキ残量が少なくなった時には容器の側壁を強く押してもインキが吐出されないという苛立たしさがある。又、初期筆記（塗布）でインキがとぎれやすい問題がある。
【０００３】
一般に粘性の低いインキ又は剪断減粘性を有したインキを使用したボールペンは、インキの流出量が多く（筆記濃度を上げるため）インキ収容管の径を太くしてインキの搭載量を多くしている。又、インキの粘度は油性ボールペンのインキに比べて小さいのでインキ収容管に対する流動抵抗は小さい。従って、インキの自重や衝撃によりインキ漏れ（インキ収容管の後端にインキが逆流する）が生じやすい。その為に、通常はインキの後端に筆記時のインキの消耗に追随して移動するが、インキの自重や衝撃に対してインキの逆流を抑制するグリース状のフォロアが、又、必要によりフォロア棒がフォロア内に浸漬されて設けられている。　しかしながら、フォロアを設けても上向き筆記をした時にはチップのボール直下のインキが無くなると、インキのヘッドが直に加わる為に顕著な逆流が生じて手や衣服を汚す危険がある。又、インキの粘度が低く流出量が多いが故に、チップ側を下向きにした場合に先端ボールとチップ抱持部の隙間が生じるとインキが滲みでる（直流）問題が存在する。
【発明の開示】
【発明が解決しようとする課題】
【０００４】
本発明は、太径の軸筒内に直にインキが充填されてなるボールペンであって、初期筆記でインキがとぎれやすいインキを使用したボールペン、主として誤記等を白色のインキで隠蔽することで修正可能とするボールペンで、攪拌する必要が無く、容器の側面を押圧する煩わしさの無い誤記等修正用のボールペンを提供可能とすることにある。
【課題を解決するための手段】
【０００５】
本発明は、上記課題を達成する為に以下の構成を有する。
　請求項１に記載の発明に係るボールペンは、　軸筒先端にボールペンのチップと軸筒後方にインキ収容部を備え、インキ収容部にインキとインキの後端に接触してインキの消耗と共に追随するよう配設されたフォロアが充填されて、先端ボールがチップ先端のボール抱持部の内縁に密接するように先端ボールの背面にバネ圧が付与されてなるボールペンに於いて、ポンピング式の加圧機構部は、軸筒後端孔に嵌入されて軸筒の後端部側面に軸方向前方所定長さで設けられたスリット部に突部が係止されてなるノック棒がリターンスプリングによって常時軸筒後方に附勢されると共に、ノック棒の軸部外周に設けられたシールリング部が軸筒後端孔の内周部に密接されてなり、その更に加圧機構部の前方で前記フォロアの後端に位置して弁機構が配設され、ノック棒の前進作動によって軸筒の後端孔に空気が押し込まれ、加圧機構部と弁機構の間に形成される空間部が縮小されて、所定圧で弁が開いてフォロアの後端が加圧されることによってインキのチップ側への流動性が支援されるように構成されてなる。
【発明の効果】
【０００６】
本発明のボールペンは以上の如くであり、
　初期筆記でインキ切れしやすいインキを使用したボールペンが加圧作用に支援されて筆記可能となる。又、少なくとも酸化チタン、高分子中空微粒子等の白色顔料とゲル化剤を含み、顔料の沈降が防止されると共に流動性が損なわれないように配合された白色顔料インキと、ポンピングによる加圧機構を設けることによって、従来のように白色顔料と溶剤とが分離するような問題がなく、従ってインキを攪拌する必要がなく、筆記に際して容器の側面を押圧するようなこともない使い勝手の良い誤記修正用のボールペンが提供可能となる。
【発明を実施するための最良の形態】
【０００７】
図１乃至図３は本発明の実施例を示している。先ず、図１に示すように本願のボールペンは軸筒１、チップ６、弁体５、ブッシュ３、インキ９、フォロア１０、軸筒後端に設けられる弁機構と加圧機構部で構成され、筆記具の最終形態としては先軸部２に被嵌するキャップ（図示せず）を具備する。
軸筒１は樹脂成形品（通常は透明樹脂）で、先方に先細状の先端部２を一体に有している。又、先端より内孔２ａが形成され、内孔の後端には拡開した孔（弁室４となる）があり、その孔の前端に複数箇所でリブ２ｃが周設されている。
【０００８】
一方、ブッシュ３は、前面にテーパー状又は球面状の弁体受け座３ａを有し、弁体受け座３ａの中心から後端に貫通した導孔３ｄが設けられている。又、外周部の前方に円周状に凸部３ｂが、後方に円周状又は突条の係止部３ｃが形成されている。
【０００９】
ブッシュ３は軸筒１の後端から挿入され、軸筒内孔先方の段部１ａに当接して位置決めされると共にその前方の内孔面に上記凸部３ｂが密接し、更に係止部３ｃが後方の内孔面に食い付き状に係止する。
　尚、軸筒の内孔面とブッシュの外周部の相互間に溝部と突部を設けて、弾性変形を利用して係止することも可能である。
【００１０】
以上で、リブ２ｃの後端となる受け座２ｄとブッシュ３の前端となる弁体受け座３ａとの間に弁室４が形成される。尚、ブッシュ３を係止する前に球状の弁体５が挿入されて、弁室４内に弁体が遊嵌される。
　尚、弁体は球状に限らず棒状のコマであってもよい。その場合、弁体の前方外周にインキを流通可能とする溝を形成すれば弁室４の前端に上記のリブ２ｃを特に設ける必要はない。
【００１１】
一方、チップ６はインキ流入可能なチャンネルを有した座に先端ボール７が略当接した状態で先端ボール７が回転自在に抱持されるようカシメられている。
　又、チップ内孔６ａにスプリング８が内挿されチップ後方の軸部６ｂの後端が適宜カシメられてスプリング８の後端が抜出不能に設けられている。又、スプリング８の先方には直立状の棒軸部８ａが形成され、当該棒軸部８ａの先端が先端ボール７の背面に押圧状に当接している。尚、先端ボール７はその押圧でチップ６のボール抱持部の内縁に密接状態と成される。又、チップ６は先軸部２先端の内孔２ａに圧着される。
【００１２】
　尚、スプリングの前面に先端ボール７の背面を押圧する押し部材を設けることも、又、上記棒軸部を極細巻きのコイル状となすことも可能である。又更に、チップを耐磨耗性やインキのシール性能に優れた樹脂成型品となして、先端ボールの背面を押圧するバネ座を一体又は別体のバネ座を設けて構成することも可能である。
【００１３】
　又、先端ボール７がボール抱持部の内面に密接することはインキが高粘度であっても筆記先端の乾燥、インキの直流防止に対し極めて重要である。
　即ち、本願のような誤記修正塗布用のボールペンはインキの吐出量を多くする為に、筆記用のボールペンに比較して先端ボールの後退する寸法を大きく設定されている。又、先端ボール７を抱持するチップ内面の表面粗さ、カシメによる密接精度を改善する為に内面の研削仕上げ、カシメ精度を上げる為の二次的な塑性加工が配慮される。又、必要によっては先端ボールとの密接面に表面処理などが配慮される。
【００１４】
以上により、チップ側が下向きの時に上記弁体５が上記リブ２ｃの受け座２ｄに当接して、インキが導孔３ｄ、弁室５、リブとリブとの間に形成される溝を通じてチップ内孔６ａから先端ボール７の背面まで導通する。
【００１５】
　軸筒１は上記導孔３ｄの後方にインキ収容部を有しており、そのインキ収容部内に白色顔料インキ９が充填され、そのインキの後端にインキの消耗と共にインキと追随するグリース状のフォロア１０が充填されている。
　又、フォロアはインキと相溶性が無く又インキの蒸発を防止する性能を有している。又、必要に応じてフォロア内にフォロアと略同等の比重を有する樹脂製のフォロア棒１１が浸漬される。尚、フォロアは例えばシリコンゴム等の追従体とすることも可能である。
【００１６】
　又、白色顔料インキ９は、少なくとも酸化チタン、高分子中空微粒子等の白色顔料とゲル化剤を含み、顔料の沈降が防止されると共に流動性が極力損なわれないように配合された白色顔料インキである。又、インキは剪断減粘性を有しているので先端ボールの回転で粘度が低下するのと相まって隠蔽性の高い塗布が可能である。
【００１７】
　次に、弁機構について説明する。弁機構は、インキの後端に接触してインキの消耗と共に追随するよう配設されたフォロアの後端に位置して配設される。
　ブッシュ１２は、軸心部に前端から孔が設けられ、その孔の後端にテーパー状又は球面状の受け座１２ｃが形成されると共にやや小径と成した孔が後端まで貫通して通気口１２ｄが形成されている。又、前端の孔には、内方に向かって所要箇所で突出した段部１２ｂが設けられ、球状の弁体１３が受け座１２ｃに密接する状態に弁体と段部１２ｂとの間にスプリング１４が敷設される。
　ところで、上記ブッシュ１２の段部１２ｂは、周囲にスリ割り部１２ａ等を設けて弾性変形可能とする片部に形成されており、軸筒１内に固定される前段階に於いて容易に弁体１３とスプリング１４を敷設することができる。
【００１８】
又、軸筒１の後端にはポンピング式の加圧機構部が設けられる。加圧機構部の構成については以下に説明する。
　先ず、軸筒１の後端部側面に、後端側から先方に向かって細くなるテーパー状のスリット部１ｄが形成され、その前端に段部１ｅを有して軸方向前方所定長さのスリット部１ｃが形成されている。
　又、ノック棒１５は、後端に鍔部とその前方に軸部が形成され、鍔部の前端に段部１５ｂが設けられ、軸部外周の略中間に突部１５ａと軸部外周の略前端に周状の溝部１５ｃが設けられて、その溝部１５ｃに一例としてゴム等の弾性体や弾性のある成形樹脂などより成るシールリング１６が止着されている。尚、シールリングは、機密性、滑り性のよいものが選択される。又、他潤滑剤を介在させるなど配慮される。又、シールリング部は軸部外周に一体に形成することも可能である。
【００１９】
　ノック棒１５は、軸筒１の後端から挿入され、上記段部１５ｂと軸筒１の後端との間にリターンスプリング１７が敷設されると共に、突部１５ａが上記テーパー状のスリット部１ｄを弾性的に拡開して、突部１５ａが段部１ｅの前面に係止され、リターンスプリング１７によって軸筒１に対しノック棒１５は常時後方に附勢される。又、ノック棒の軸部前方が軸筒１の後端孔に嵌入し、シールリング１６の外周部が後端孔の内周部１ｂに密接する。そのとき、シールリング１６は、上記スリット部１ｃの略前端にかかった状態に位置しており、従って軸筒の後端孔（空間部１８）は外気と連通している。
　即ち、ノック棒１５の前進作動の直前において、軸筒１の後端孔は外気と連通され、ノック棒が適宜前進した直後において外気と遮断され、空間部１８の縮小と共に加圧されるよう構成されている。詳細は作用で後述する。
【００２０】
（作用）
先ず、筆記しない状態ではスプリング８の押圧で先端ボール７がチップ抱持部の内縁に密接されるのでインキ９の直流及び逆流が防止される。
　又、筆圧により先端ボール７が微小に後退するので隙間を生じてインキが流出可能となり、筆記により先端ボール７の回転でインキが流出されて筆記される。ところで、チップ６を上向きにした状態では、弁体５が弁体受け座３ａに密接して導孔３ｄを密閉するので、上向き筆記で先端ボール７背面のインキがなくなってもインキが逆流しない。従って、チップ６を下向きにした時にインキが即流出可能となり、インキのとぎれが抑制される。　因みに弁体を有しない構造では、上向き筆記でインキのヘッドが逆流方向に作用するのでチップ内に空気を巻き込み下向き筆記で即インキが追随しない問題が起きる。又、上向き筆記の繰り返しで空気巻き込みが徐々に累積される問題がある。
【００２１】
　又、フォロア棒１１はインキ収容部が大径である場合に使用される。即ち、グリース状のフォロア１０は、インキ収容部が大径の場合に衝撃などの影響で変形を受け破壊されやすいという問題がある。フォロア内にフォロアと略同等の比重を有する樹脂製のフォロア棒を浸漬させることにより剛性を上げることが可能となる。
【００２２】
又、先端ボール７は、常時ボール抱持部の内縁に密接しているので先端部位の乾燥で筆記掠れが防止される。又、先端ボール７と弁体５の共同作用で上向き筆記や衝撃が加わっても空気の巻き込みが緩和されるのでインキのとぎれが防止される。又、インキの直流及び逆流はスプリング８による先端ボール７への押圧で果たされるが、ボール抱持部の加工バラツキによる先端ボール７との密接不完全状態や、ボール抱持部と先端ボール７との隙間に固形物が付着した場合の密接不完全状態を補足して、インキの大きなヘッドを支えてインキの逆流を確実に防止することと、空気巻き込みの緩和をするよう共同する。
【００２３】
次に、加圧機構部と弁機構の作用を以下に説明する。
　先ず図３に示すように、ノック棒１５がポンピング（前進作動）され、シールリング１６の外周部が軸筒のスリット部１ｃ前方の内周部１ｂに密接した時点で空間部１８が外気と遮断されると共に、ノック棒１５が更に前進することによってシールリング１６の外周部が軸筒の内周部に密接して摺動し、空間部１８の縮小と共に内圧が上昇する。その内圧の上昇によって所定圧で弁体１３が開き、空気が押し込まれることによってフォロアの後端が加圧されてインキのチップ側への流動性が支援される。そのことは、落下衝撃やインキの流動性の悪さ等に起因して先端ボールの周面からインキが離れてしまい連続的なインキの流出がとぎれるのを防止する作用ととぎれた時に回復する作用となる。
【００２４】
又、図４はボールペンの別の実施形態を示している。上述したボールペンとの相違はノック棒１９の前方に係止部１９ａを設けて、その係止部１９ａに円盤状のシールリング２０を止着した点である。
【００２５】
又、図５はボールペンの更に別の実施形態を示している。
　上述したボールペンとの相違はインキの逆流を阻止する為の弁体とフォロア棒を有さないことである。即ち、弁体とフォロア棒は必須の構成要件としないものである。
　上述したフォロア棒や弁体を有したインキの逆流防止構造は、インキ収容部が大径で逆流しやすい場合や、上向き筆記を繰り返した時や衝撃が掛かった時に性能を発揮するものであって構成要素として必須のものではなく、特に誤記修正用のボールペンは上向きに使用されることはまず無いので必ずしも必要としない。
【図面の簡単な説明】
【００２６】
【図１】本発明の実施例であるボールペンの縦断面図で、チップが下向きの状態を示している。
【図２】本発明の実施例であるボールペンの縦断面図で、チップが上向きの状態を示している。
【図３】本発明の要旨である加圧機構部と弁機構の作動状態を拡大した断面図である。
【図４】本発明のボールペンの別の実施形態を示した縦断面図である。
【図５】本発明のボールペンの更に別の実施形態を示した縦断面図である。
【符号の説明】
【００２７】
１  　　軸筒
　１ａ　　段部
　１ｂ　　内周部
　１ｃ　　スリット部
　１ｄ　　テーパー状のスリット部
　１ｅ　　段部
２  　　先軸部
　２ａ　　内孔
　２ｂ　　孔部
　２ｃ　　リブ
　２ｄ　　受け座
３  　　ブッシュ
　３ａ　　弁体受け座
　３ｂ　　凸部
　３ｃ　　係止部
　３ｄ　　導孔
４  　　弁室
５  　　弁体
６  　　チップ
　６ａ　　チップ内孔
　６ｂ　　軸部
　６ｃ　　カシメ部
７  　　先端ボール
８  　　スプリング
　８ａ　　棒軸部
９  　　インキ
１０  　フォロア
１１  　フォロア棒
１２  　ブッシュ
　１２ａ　スリ割り部
　１２ｂ　段部
　１２ｃ　受け座
　１２ｄ　通気口
１３  　弁体
１４  　スプリング
１５  　ノック棒
　１５ａ　突部
　１５ｂ　段部
　１５ｃ　溝部
１６  　シールリング
１７  　リターンスプリング
１８  　空間部
【図１】
2004009742.tif 000003
【図２】
2004009742.tif 000004
【図３】
2004009742.tif 000005
【図４】
2004009742.tif 000006
【図５】
2004009742.tif 000007